(57)【要約】【課題】フレーム間の差分演算を行うことなく、動画を可逆圧縮することによって、データサイズを縮小する。【解決手段】画像処理システム（１）は、動画を可逆圧縮することで圧縮動画を生成可能な画像圧縮装置（２）と、上記画像圧縮装置で得られた圧縮動画を伸張して表示する画像表示装置（３）とを含む。上記画像圧縮装置は、上記動画のフレーム間で画素同士を比較し、画素情報が一致する場合の画素情報を透過状態として取り込み、画素情報が一致しない場合の画素情報を非透過状態として取り込むことで比較画像を形成する比較画像形成処理を実行する。上記画像圧縮装置は、上記比較画像形成処理部で形成された比較画像を可逆圧縮処理する可逆圧縮処理を実行する。比較画像には、透過状態とされる箇所が多数存在するため、圧縮率の向上を図ることができる。【選択図】図１
2014138233.tif 000002
【特許請求の範囲】
【請求項１】
動画を可逆圧縮することで圧縮動画を生成可能な画像圧縮装置と、
上記画像圧縮装置で得られた圧縮動画を伸張して表示する画像表示装置と、を含み、
上記画像圧縮装置は、上記動画のフレーム間で画素同士を比較し、画素情報が一致する場合の画素情報を透過状態に設定し、画素情報が一致しない場合の画素情報を非透過状態に設定することで比較画像を形成する比較画像形成処理と、
上記比較画像形成処理部で形成された比較画像を可逆圧縮処理する可逆圧縮処理と、を実行する画像処理システム。
【請求項２】
上記比較画像形成処理は、画素情報が色情報と透明度情報との組み合わせによって表現される場合に、画素情報が一致する場合の透明度情報を透明度が最も高い値に設定し、画素情報が一致しない場合の透明度情報を明度が最も低い値に設定する請求項１記載の画像処理システム。
【請求項３】
上記比較画像形成処理は、画素情報が一致する場合の色情報を特定の色に統一する請求項２記載の画像処理システム。
【請求項４】
上記画像表示装置は、上記画像圧縮装置で得られた圧縮動画を伸張する伸張部と、
上記伸張部での伸張結果に基づいて表示用データを形成するためのフレームメモリと、
上記伸張部での伸張により得られた比較画像における透明度情報に応じて、上記フレームメモリへのデータ書き込みを制御する書き込み制御部と、を含む請求項１乃至３の何れか１項記載の画像処理システム。
【請求項５】
上記書き込み制御部は、透明度情報が最も高い値に設定されている画素については、上記フレームメモリへのデータの上書きを実行し、透明度情報が最も低い値に設定されている画素については、上記フレームメモリへのデータの上書きを実行しない請求項４記載の画像処理システム。
【請求項６】
上記画像表示装置は複数のフレームバッファを含み、上記画像圧縮装置はフレーム間の画素同士を比較する際に一枚おきのフレームで比較を行って比較画像を形成し、上記画像表示装置でフレームバッファ間でのコピー動作を実行しない請求項１乃至５の何れか１項記載の画像処理システム。
【請求項７】
画像圧縮装置で動画を可逆圧縮することで圧縮動画を生成する画像圧縮処理と、
上記画像圧縮処理で得られた圧縮動画を画像表示装置で伸張して表示するための画像表示処理と、を含み、
上記画像圧縮処理は、上記動画のフレーム間で画素同士を比較し、画素情報が一致する場合の画素情報を透過状態に設定し、画素情報が一致しない場合の画素情報を非透過状態に設定することで比較画像を形成する比較画像形成処理と、
上記比較画像形成処理で形成された比較画像を可逆圧縮処理する可逆圧縮処理と、を含む画像処理方法。
【請求項８】
上記比較画像形成処理は、画素情報が色情報と透明度情報との組み合わせによって表現される場合に、画素情報が一致する場合の透明度情報を透明度が最も高い値とし、画素情報が一致しない場合の透明度情報を透明度が最も低い値とする請求項７記載の画像処理方法。
【請求項９】
上記比較画像形成処理は、画素情報が一致する場合の色情報を特定の色に統一する請求項８記載の画像処理方法。
【請求項１０】
画像圧縮装置で１枚おきのフレーム間で比較画像を形成する請求項７乃至９の何れか１項記載の画像処理方法。
【発明の詳細な説明】
【技術分野】
【０００１】
本発明は画像処理システム及び画像処理方法に関し、特に組み込みシステムにおける操作ガイダンスのアニメーション表示に好適に利用できるものである。
【背景技術】
【０００２】
特許文献１には、ファクシミリ等で使用されているＭＨ符号化、ＭＲ符号化、ＭＭＲ符号化や、高速な伸張が行えるスライド辞書型ＬＺ符号化など、可逆符号化方式のデータ圧縮を行うための技術が記載されている。
【０００３】
特許文献２には、ロスレス圧縮あるいはニアロスレス圧縮に対応した、自然動画像向けの高圧縮率符号化を実現するための技術が記載されている。
【０００４】
特許文献３には、自然画像の他、地図や図形画像、コンピュータ・グラフィックス画像（コンピュータ生成画像）等を、符号化・復号化する技術が記載されている。
【先行技術文献】
【特許文献】
【０００５】
【特許文献１】特開平０９−０１８８８０号公報
【特許文献２】特開２００４−１２０４１７号公報
【特許文献３】特開２００１−０６１０６６号公報
【発明の概要】
【発明が解決しようとする課題】
【０００６】
組み込みシステムなどにおいて、操作ガイダンスなどを判り易く伝えるために、アニメーション表示が有効とされる。このようなアニメーション表示を行うための動画データをシステムに組み込む場合、データ量が膨大となるため、圧縮技術を使用してデータサイズを小さくする必要がある。動画の圧縮には、ＭＰＥＧ（Moving Picture Experts Group）などが一般的に用いられる。ＭＰＥＧでは、画像の中の動く部分だけを検出し保存するなどしてデータを圧縮している。
【０００７】
しかし、ＭＰＥＧなどの動画の圧縮技術は、圧縮率を高めるために非可逆圧縮が採用されており、元の画像の細かい部分が再現できないし、圧縮技術特有のノイズが発生する。また、大規模で複雑な回路が必要となるため、コストが高くなり、消費電力も大きくなる。このため、組み込みシステムなどにおいて、操作ガイダンスなどを判り易く伝えるためのアニメーション表示には適していない。
【０００８】
尚、特許文献１〜３には、動画データにおけるフレーム間の差分を可逆圧縮することが記載されているが、動画のフレーム間で画素同士を比較し、その比較結果に応じて、画素情報の透過状態を変更することについては記載されていない。
【０００９】
その他の課題と新規な特徴は、本明細書の記述及び添付図面から明らかになるであろう。
【課題を解決するための手段】
【００１０】
課題を解決するための手段のうち代表的なものの概要を簡単に説明すれば下記の通りである。
【００１１】
すなわち、動画を可逆圧縮することで圧縮動画を生成可能な画像圧縮装置と、上記画像圧縮装置で得られた圧縮動画を伸張して表示する画像表示装置とを含んで、画像処理システムを構成する。上記画像圧縮装置は、上記動画のフレーム間で画素同士を比較し、画素情報が一致する場合の画素情報を透過状態として取り込み、画素情報が一致しない場合の画素情報を非透過状態として取り込むことで比較画像を形成する比較画像形成処理を実行する。上記画像圧縮装置は、上記比較画像形成処理部で形成された比較画像を可逆圧縮処理する可逆圧縮処理を実行する。
【発明の効果】
【００１２】
課題を解決するための手段のうち代表的なものによって得られる効果を簡単に説明すれば下記の通りである。
【００１３】
すなわち、フレーム間の差分演算を行うことなく、動画を可逆圧縮することによって、データサイズを縮小することができる。
【図面の簡単な説明】
【００１４】
【図１】画像処理システムの構成例ブロック図である。
【図２】比較画像形成処理のフローチャートである。
【図３】比較画像形成処理のフローチャートである。
【図４】比較画像形成の様子の説明図である。
【図５】画像表示装置におけるフレームメモリへのデータ書き込みとデータ読み出しのタイミング図である。
【図６】比較画像形成の様子の説明図である。
【図７】画像表示装置におけるフレームメモリへのデータ書き込みとデータ読み出しのタイミング図である。
【発明を実施するための形態】
【００１５】
１．実施の形態の概要
先ず、本願において開示される代表的な実施の形態について概要を説明する。代表的な実施の形態についての概要説明で括弧を付して参照する図面中の参照符号はそれが付された構成要素の概念に含まれるものを例示するに過ぎない。
【００１６】
〔１〕代表的な実施の形態に係る画像処理システム（１）は、動画を可逆圧縮することで圧縮動画を生成可能な画像圧縮装置（２）と、上記画像圧縮装置で得られた圧縮動画を伸張して表示する画像表示装置（３）とを含む。
【００１７】
上記画像圧縮装置は、上記動画のフレーム間で画素同士を比較し、画素情報が一致する場合の画素情報を透過状態として取り込み、画素情報が一致しない場合の画素情報を非透過状態として取り込むことで比較画像を形成する比較画像形成処理を実行する。
【００１８】
上記画像圧縮装置は、上記比較画像形成処理部で形成された比較画像を可逆圧縮処理する可逆圧縮処理を実行する。
【００１９】
動画のフレーム間では、対応する画素同士の画素情報が一致する箇所は多数存在する。このため、上記のように動画のフレーム間で画素同士を比較し、画素情報が一致する場合の画素情報を透過状態として取り込み、画素情報が一致しない場合の画素情報を非透過状態として取り込むことで比較画像を形成した場合、その比較画像には、透過状態とされる箇所（同一情報とされる箇所）が多数存在する。そのような比較画像を可逆圧縮した場合には、元画像を可逆圧縮するのに比べて、圧縮率の向上を図ることができる。
【００２０】
上記比較画像形成処理では、フレーム間で画素同士を比較して、画素情報が一致するか否かを判別すれば良く、フレーム間で画素同士の差分演算を行う必要はない。また、画像表示装置においては、伸張処理されたデータを透過情報に従って前フレームに上書きすれば良いので、処理が容易であり、特別なハードウェアを搭載する必要がない。
【００２１】
〔２〕上記〔１〕において、上記比較画像形成処理は、画素情報が色情報と透明度情報との組み合わせによって表現される場合に、画素情報が一致する場合の透明度情報を透明度が最も高い値とし、画素情報が一致しない場合の透明度情報を透明度が最も低い値とすることができる。例えば、赤(R)・緑(G)・青(B)の三原色情報と、透明度(A)情報との組み合わせによって表現される場合において、透明度(A)は、色の透明度（アルファ値）を、例えば０〜１の範囲で指定することができる。透明度の値が小さいほど透明度が上がる。例えば画素情報が一致する場合の透明度情報は、透明度が最も高い値である「０」に設定され、画素情報が一致しない場合の透明度情報は、透明度が最も低い値である「１」に設定される。
【００２２】
〔３〕上記〔２〕において、上記比較画像形成処理は、画素情報が一致する場合の色情報を特定の色に統一することができる。例えばランレングス符号化技術においては、例えば白または黒が連続するものをそれぞれ「白のラン」、「黒のラン」といい、ランを定められた符号に置き換えることによりデータ量が圧縮されるため、色情報が「特定の色」で統一されることにより、データ圧縮率をさらに向上させることができる。
【００２３】
〔４〕上記〔１〕，〔２〕，〔３〕において、上記画像表示装置は、伸張部（３３）、フレームメモリ（３５，３６）、書き込み制御部（３４）を含んで構成することができる。伸張部（３３）は、上記画像圧縮装置で得られた圧縮動画を伸張する。フレームメモリ（３５，３６）は、上記伸張部での伸張結果に基づいて表示用データを形成するために用いられる。書き込み制御部（３４）は、上記伸張部での伸張により得られた比較画像における透明度情報に応じて、上記フレームメモリへのデータ書き込みを制御する。
【００２４】
〔５〕上記〔４〕において、上記書き込み制御部は、透明度情報が最も高い値に設定されている画素については、上記フレームメモリへのデータの上書きを実行し、透明度情報が最も低い値に設定されている画素については、上記フレームメモリへのデータの上書きを実行しない。上書きが行われないところは、データが更新されないため、前フレームの画像が残る。これにより、元画像の復元が可能になる。
【００２５】
〔６〕上記〔１〕，〔２〕，〔３〕，〔４〕，〔５〕において、上記画像表示装置は複数のフレームバッファを含み、上記画像圧縮装置はフレーム間の画素同士を比較する際に一枚おきのフレームで比較を行って比較画像を形成し、上記画像表示装置でフレームバッファ間でのコピー動作を実行しないように構成することができる。フレームバッファ間でのコピー動作を実行しなければ、その分、処理時間に余裕ができるため、フレームメモリの書き込み制御に用いられるクロック信号の周波数を低下することができる。
【００２６】
〔７〕画像処理方法として、画像圧縮装置で動画を可逆圧縮することで圧縮動画を生成する画像圧縮処理と、上記画像圧縮処理で得られた圧縮動画を画像表示装置で伸張して表示するための画像表示処理とを実行する。
【００２７】
上記画像圧縮処理は、上記動画のフレーム間で画素同士を比較し、画素情報が一致する場合の画素情報を透過状態として取り込み、画素情報が一致しない場合の画素情報を非透過状態として取り込むことで比較画像を形成する比較画像形成処理（２３）と、上記比較画像形成処理で形成された比較画像を可逆圧縮処理する可逆圧縮処理（２４）とを含む。
【００２８】
上記のように、動画のフレーム間では、対応する画素同士の画素情報が一致する箇所は多数存在する。従って、上記のように動画のフレーム間で画素同士を比較し、画素情報が一致する場合の画素情報を透過状態として取り込み、画素情報が一致しない場合の画素情報を非透過状態として取り込むことで比較画像を形成した場合、その比較画像には、透過状態とされる箇所が多数存在する。このため、そのような比較画像を可逆圧縮した場合には、元画像を可逆圧縮するのに比べて、圧縮率の向上を図ることができる。
【００２９】
〔８〕上記〔７〕において、上記〔２〕と同様に、上記比較画像形成処理は、画素情報が色情報と透明度情報との組み合わせによって表現される場合に、画素情報が一致する場合の透明度情報を透明度が最も高い値とし、画素情報が一致しない場合の透明度情報を透明度が最も低い値とすることができる。
【００３０】
〔９〕上記〔８〕において、上記〔３〕と同様に、比較画像形成処理では、画素情報が一致する場合の色情報を特定の色に統一することができる。
【００３１】
〔１０〕上記〔７〕，〔８〕，〔９〕において、上記〔６〕と同様に、１枚おきのフレーム間で比較画像を形成することができる。
【００３２】
２．実施の形態の詳細
実施の形態について更に詳述する。
【００３３】
《実施の形態１》
図１には、画像処理システムが示される。
【００３４】
図１に示される画像処理システム１は、画像圧縮装置２と、画像表示装置３とを含む。
【００３５】
画像圧縮装置２は、元動画２１を可逆圧縮処理して圧縮動画２５を形成するための演算処理部２２を有する。この演算処理部２２は、特に制限されないが、コンピュータシステムであり、所定のプログラムに従って、比較画像形成処理２３と、可逆圧縮処理２４とを実行する。
【００３６】
比較画像形成処理２３は、動画のフレーム間で画素同士を比較し、画素情報が一致する場合の画素情報を透過状態として取り込み、画素情報が一致しない場合の画素情報を非透過状態として取り込むことで比較画像を形成する。
【００３７】
可逆圧縮処理２４は、比較画像形成処理２３で形成された比較画像を可逆圧縮処理する。この可逆圧縮処理２４には、ランレングス符号化技術を適用することができる。
【００３８】
画像表示装置３は、組み込みシステムに搭載されたもので、画像圧縮装置２で形成された圧縮動画２５を伸張して可視化する。圧縮動画２５は、操作ガイダンスなどを判り易く伝えるためのアニメーション表示を行うためのもので、組み込みシステムにおける不揮発性メモリなどに保存されている。画像表示装置３は、演算制御部３２、フレームメモリ３５，３６、表示制御部３７、ディスプレイ３８を有する。
【００３９】
演算制御部３２は、伸張部３３と、書き込み制御部３４とを有する。
【００４０】
伸張部３３は、それぞれ上記画像圧縮装置で得られた圧縮動画２５を伸張する。この伸張処理によって、比較画像（図４参照）が得られる。
【００４１】
書き込み制御部３４は、伸張部３３での伸張により得られた比較画像のフレームメモリ３５，３６への書き込みを制御する。
【００４２】
表示制御部３７は、フレームメモリ３５，３６に書き込まれたデータに基づいてディスプレイ３８での動画表示を制御する。
【００４３】
上記構成の作用を説明する。
【００４４】
図２には、比較画像形成処理２３の流れが示される。
【００４５】
比較画像形成処理２３では、先ず、動画２１のフレーム間で画素同士の比較が行われる（Ｓ２１）。この比較では、連続するフレーム間で画素情報の比較が画素単位で行われる。画素情報は、例えば赤(R)・緑(G)・青(B)の三原色情報と、透明度(A)情報との組み合わせによって表現される。尚、動画２１の全てのフレームにおいて、透明度(A)情報は透明度が最も低い値（非透過状態）になっているものとする。
【００４６】
上記ステップＳ２１の比較において、画素情報が一致しないと判断された場合には、画素情報を非透過状態で比較画像形成用の半導体メモリにコピーされる（Ｓ２２）。例えば動画２１における１枚目のフレームと２枚目のフレームとの間で画素同士の比較が行われ、画素情報が一致しないと判断された場合には、２枚目のフレームにおける対応画素の情報が比較画像形成用の半導体メモリにコピーされる。このとき、透明度(A)情報は、非透過状態である。
【００４７】
上記ステップＳ２１の比較において、画素情報が一致すると判断された場合には、画像情報が透過状態で比較画像形成用の半導体メモリにコピーされる（Ｓ２３）。例えば動画２１における１枚目のフレームと２枚目のフレームとの間で画素同士の比較が行われ、画素情報が一致すると判断された場合には、２枚目のフレームにおける対応画素の情報が比較画像形成用の半導体メモリにコピーされる。このとき、透明度(A)情報は、透明度が最も高い値（透過状態）に変更される。尚、赤(R)・緑(G)・青(B)の三原色情報は変更されない。
【００４８】
そして、全画素の比較が終了したか否かの判別が行われる（Ｓ２４）。この判別において、全画素の比較が終了していない（Ｎ）と判断された場合には、次の画素について、上記ステップＳ２１での比較が行われ、その比較結果に応じて、透明度(A)情報が変更される。
【００４９】
図４には、比較画像形成の様子が示される。
【００５０】
元データは、動画２１を形成するフレームの画像データである。元データの１枚目は、比較対象が無いので、そのまま比較画像形成用の半導体メモリにコピーされる。元データの２枚目以降のデータについては、直前のフレームとの比較が行われる。図４に示される例では、元データの１枚目のフレームと２枚目のフレームとの間で画素情報の比較が画素単位で行われることで、比較画像における２枚目のフレームが形成される。つまり、元データの１枚目のフレームと２枚目のフレームとの間で画素情報の比較において、画素情報が一致しないと判断された箇所には、２枚目のフレームにおける画素情報が非透過状態でコピーされる。画素情報が一致すると判断された箇所には、２枚目のフレームにおける画素情報が透過状態でコピーされることにより、比較画像における２枚目のフレームが形成される。この２枚目のフレームにおいて、網掛けで示される箇所４１は、画素情報が透過状態でコピーされたところである。画素情報が透過状態のところは、画像表示の際に前フレーム（ここでは比較画像における１枚目のフレーム）の画像が透過されるため、前フレームに比較画像における２枚目のフレームを上書きすることで、元画像の２枚目を復元することができる。
【００５１】
次に、画像表示装置３での動画表示について説明する。
【００５２】
図５には、画像表示装置３におけるフレームメモリ３５，３６へのデータ書き込みとデータ読み出しのタイミングが示される。
【００５３】
伸張部３３での伸張により得られた比較画像は、書き込み制御部３４の制御によってフレームメモリ３５，３６へ書き込まれる。
【００５４】
先ず、書き込み制御部３４の制御により、比較画像の１枚目がフレームメモリ３５に書き込まれる。このフレームメモリ３５内の比較画像の１枚目は、表示制御部３７の制御により、ディスプレイ３８に表示される。この比較画像の１枚目表示期間に、書き込み制御部３４の制御により、フレーム１（比較画像の１枚目）がフレームメモリ３６にコピーされ、さらに、このフレーム１に比較画像の２枚目が上書きされる。ただし、比較画像の２枚目における画素情報が透過状態のところは上書きが行われないため、データが更新されない。データが更新されないところには、前フレームの画像が残るため、フレーム１に比較画像の２枚目が上書きされることで、フレームメモリ３６には、元画像の２枚目が復元される。このフレームメモリ３６内のデータが表示制御部３７の制御により、ディスプレイ３８に表示される。この表示期間に、書き込み制御部３４の制御により、フレームメモリ３６内のデータ（フレーム２）がフレームメモリ３５にコピーされ、さらに、フレーム２に比較画像の３枚目が上書きされる。これにより、フレームメモリ３５には、元画像の３枚目が復元される。このフレームメモリ３５内のデータが表示制御部３７の制御により、ディスプレイ３８に表示される。この表示期間に、書き込み制御部３４の制御により、フレームメモリ３５内のデータ（フレーム３）がフレームメモリ３６にコピーされ、さらに、フレーム３に比較画像の４枚目が上書きされる。以降、同様にフレームメモリ３５，３６への書き込み制御が行われることで元画像が復元され、それがディスプレイ３８に表示される。
【００５５】
実施の形態１によれば、以下の作用効果を得ることができる。
【００５６】
（１）一般に動画のフレーム間では、対応する画素同士の画素情報が一致する箇所は多数存在する。従って、上記のように動画のフレーム間で画素同士を比較し、画素情報が一致する場合の画素情報を透過状態として取り込み、画素情報が一致しない場合の画素情報を非透過状態として取り込むことで比較画像を形成した場合、その比較画像には、透過状態とされる箇所（同一情報とされる箇所）が多数存在する。このため、そのような比較画像を可逆圧縮した場合には、元画像を可逆圧縮するのに比べて、圧縮率の向上を図ることができる。
【００５７】
（２）上記比較画像形成処理では、フレーム間で画素同士を比較して、画素情報が一致するか否かを判別すれば良く、フレーム間で画素同士の差分演算を行う必要はない。また、画像表示装置においては、伸張処理されたデータを透過情報に従って前フレームに上書きすれば良いので、処理が容易であり、特別なハードウェアを搭載する必要がない。
【００５８】
（３）ＭＰＥＧなどの動画の圧縮技術は、圧縮率を高めるために非可逆圧縮が採用されており、元の画像の細かい部分が再現できないし、圧縮技術特有のノイズが発生するが、可逆圧縮の場合、そのようなノイズの発生を考慮する必要がないので、組み込みシステムなどにおいて、操作ガイダンスなどを判り易く伝えるためのアニメーション表示に適している。
【００５９】
《実施の形態２》
図３には、比較画像形成処理２３の流れが示される。
【００６０】
図３に示される処理が、図２に示されるのと大きく相違するのは、ステップＳ３３での処理である。ステップＳ３１，Ｓ３２，Ｓ３４での処理は、それぞれ図２におけるステップＳ２１，Ｓ２２，Ｓ２４の場合と等しい。
【００６１】
図３におけるステップＳ３３での処理では、上記ステップＳ３１の比較において、画素情報が一致すると判断された場合には、画素情報が特定の色に変更され、且つ、画像情報が透過状態で比較画像形成用の半導体メモリにコピーされる。上記「特定の色」は、統一して用いれば何色でも構わない。このように画素情報が一致すると判断された場合に画素情報が特定の色に変更された場合には、例えば図４において網掛けで示される箇所４１（画素情報が透過状態でコピーされたところ）の色情報が「特定の色」で統一される。
【００６２】
ランレングス符号化技術では、例えば白または黒が連続するものをそれぞれ「白のラン」、「黒のラン」といい、ランを定められた符号に置き換えることによりデータ量が圧縮されるため、色情報が「特定の色」で統一されることにより、データ圧縮率の向上を図ることができる。
【００６３】
《実施の形態３》
図１におけるフレームメモリ３５には、奇数番目の比較画像を書き込み、フレームメモリ３６には、偶数番目の比較画像を書き込むようにしてもよい。このような書き込みを行う場合には、比較画像を次のように形成する。
【００６４】
図６には、比較画像形成の様子が示される。
【００６５】
比較画像の１枚目と２枚目は、それぞれ元画像の１枚目と２枚目が利用される。元データの３枚目以降のデータについては、ひとつ前のフレームとの比較が行われる。図６に示される例では、元データの１枚目のフレームと３枚目のフレームとの間で画素情報の比較が画素単位で行われることで、比較画像における３枚目のフレームが形成される。また、元データの４枚目のフレームと２枚目のフレームとの間で画素情報の比較が画素単位で行われることで、比較画像における４枚目のフレームが形成される。このように、ひとつ前のフレームとの比較が行われることで、比較画像の５枚目以降のフレームが形成される。
【００６６】
上記のような比較画像を画像表示装置３で伸張して表示する場合、図１におけるフレームメモリ３５には、奇数番目の比較画像が書き込まれ、フレームメモリ３６には、偶数番目の比較画像が書き込まれる。
【００６７】
図７には、画像表示装置３におけるフレームメモリ３５，３６へのデータ書き込みとデータ読み出しのタイミングが示される。
【００６８】
書き込み制御部３４の制御により、比較画像の１枚目がフレームメモリ３５に書き込まれる。このフレームメモリ３５内の比較画像の１枚目（元画像の１枚目に等しい）は、表示制御部３７の制御により、ディスプレイ３８に表示される。
この比較画像の１枚目表示期間に、書き込み制御部３４の制御により、比較画像の２枚目がフレームメモリ３６に書き込まれる。このフレームメモリ３６内の比較画像の２枚目（元画像の２枚目に等しい）は、表示制御部３７の制御により、ディスプレイ３８に表示される。
【００６９】
この比較画像の２枚目表示期間に、書き込み制御部３４の制御により、比較画像の３枚目がフレームメモリ３５に書き込まれる。このとき、フレームメモリ３５には、比較画像の１枚目が残っているため、比較画像の３枚目は、比較画像（元画像の１枚目に等しい）の１枚目に上書きされる。比較画像の３枚目において、画素情報が透過状態のところは、比較画像の１枚目が透過されることにより、元データの３枚目が復元され、それが、表示制御部３７の制御により、ディスプレイ３８に表示される。この元データの３枚目の表示期間に、書き込み制御部３４の制御により、比較画像の４枚目がフレームメモリ３６に書き込まれる。このとき、フレームメモリ３６には、比較画像の２枚目が残っているため、比較画像の４枚目は、比較画像の２枚目（元画像の２枚目に等しい）に上書きされる。比較画像の４枚目において、画素情報が透過状態のところは、比較画像の２枚目が透過されることにより、元データの４枚目が復元され、それが、表示制御部３７の制御により、ディスプレイ３８に表示される。以降、同様にして、比較画像の書き込みが交互に行われることで、元データが復元されてディスプレイ３８に表示される。
【００７０】
実施の形態１の場合（図５参照）には、フレームメモリ３５，３６間でデータのコピーを行う必要があるが、実施の形態３の場合（図７参照）には、フレームメモリ３５，３６間でデータのコピーを行う必要がないため、その分、処理時間に余裕ができる。このため、フレームメモリ３５，３６の書き込み制御に用いられるクロック信号の周波数を低下することができ、システムの低消費電力化を図ることができる。
【００７１】
以上本発明者によってなされた発明を実施の形態に基づき具体的に説明したが、本発明は前記実施の形態に限定されるものではなく、その要旨を逸脱しない範囲で種々変更可能であることは言うまでもない。
【符号の説明】
【００７２】
１  画像処理システム
２  画像圧縮装置
３  画像表示装置
２１  元画像
２２  演算処理部
２３  比較画像形成処理
２４  可逆圧縮処理
２５  圧縮動画
３２  演算制御部
３３  伸張部
３４  書き込み制御部
３５，３６  フレームメモリ
３７  表示制御部
３８  ディスプレイ
【図１】
2014138233.tif 000003
【図２】
2014138233.tif 000004
【図３】
2014138233.tif 000005
【図４】
2014138233.tif 000006
【図５】
2014138233.tif 000007
【図６】
2014138233.tif 000008
【図７】
2014138233.tif 000009